(57)【要約】【課題】支持するディスクの大きさを問わず、その記録領域の不用意な損傷を確実に防止できるトレイを備えたディスクドライブ装置を提供する。【解決手段】情報記録媒体であるディスクＤを水平に支持したまま、本体であるシャーシ１に対して外部のイジェクト位置と内部のローディング位置との間を水平方向に進退するトレイを備えている。トレイ２には、ディスクＤと同軸状でトレイ２の底壁を貫通し軸回転及び軸方向移動が可能な中間軸体１３が設けられ、この中間軸体１３の上端には、上側鍔部１３ａ及びディスクＤの中心穴と略同径の突出部１３ｃが形成されている。中間軸体１３は、上側鍔部１３ａの下面がトレイ２の底壁の上面に当接して下方向への移動が規制されながら、突出部１３ｃにディスクＤの中心穴が嵌め合わされてディスクＤの下面の内縁部を支持する。【選択図】　　　図２
0003097753.tif 000002
【実用新案登録請求の範囲】
【請求項１】
情報記録媒体である大径又は小径のディスクを選択的に水平に支持したまま、本体に対して外部のイジェクト位置と内部のローディング位置との間を水平方向に進退するトレイを備え、前記トレイの底壁に、情報記録媒体である大径のディスクを水平に収容してこのディスクの下面の外縁部を支持する大径用円形凹部、及びこの大径用円形凹部と同軸状で小径のディスクを水平に収容してこのディスクの下面の外縁部を支持する小径用円形凹部が形成されたディスクドライブ装置において、
前記トレイの底壁は、前記大径用円形凹部及び前記小径用円形凹部が形成されることなく平坦であって、
前記トレイには、前記ディスクと同軸状で前記トレイの底壁を貫通し軸回転及び軸方向移動が可能な、２つの樹脂成型品より組み合わされてなる中間軸体が設けられ、この中間軸体の上端には、鍔部及び前記ディスクの中心穴と略同径のドーム状の突出部が形成されており、
前記中間軸体は、前記鍔部の下面が前記トレイの底壁の上面に当接して下方向への移動が規制されながら、前記突出部に前記ディスクの中心穴が嵌め合わされて前記ディスクの下面の内縁部を支持し、
更に、前記ローディング位置での前記トレイにおける前記中間軸体の下方に、上端に磁性体が内包されたスピンドルモータが上下動可能に備えられ、前記中間軸体の上方に、下方向への移動が規制されながら軸回転及び軸方向移動が可能な、永久磁石が内包されたクランプ部材が備えられていて、
前記スピンドルモータの上動により、前記スピンドルモータの上端が前記中間軸体の下端に連結されて前記中間軸体及び前記ディスクが上方向に移動されるとともに、前記クランプ部材の下端が前記ディスクの上面の内縁部に当接して前記鍔部の上面とで前記ディスクが挟持されることを特徴とするディスクドライブ装置。
【請求項２】
情報記録媒体であるディスクを水平に支持したまま、本体に対して外部のイジェクト位置と内部のローディング位置との間を水平方向に進退するトレイを備えたディスクドライブ装置において、
前記トレイには、前記ディスクと同軸状で前記トレイの底壁を貫通し軸回転及び軸方向移動が可能な中間軸体が設けられ、この中間軸体の上端には、鍔部及び前記ディスクの中心穴と略同径の突出部が形成されており、
前記中間軸体は、前記鍔部の下面が前記トレイの底壁の上面に当接して下方向への移動が規制されながら、前記突出部に前記ディスクの中心穴が嵌め合わされて前記ディスクの下面の内縁部を支持することを特徴とするディスクドライブ装置。
【請求項３】
前記中間軸体は、複数の樹脂成型品より組み合わされてなることを特徴とする請求項２に記載のディスクドライブ装置。
【請求項４】
前記ローディング位置での前記トレイにおける前記中間軸体の下方に、スピンドルモータが上下動可能に備えられ、前記中間軸体の上方に、下方向への移動が規制されながら軸回転及び軸方向移動が可能なクランプ部材が備えられていて、
前記スピンドルモータの上動により、前記スピンドルモータの上端が前記中間軸体の下端に連結されて前記中間軸体及び前記ディスクが上方向に移動されるとともに、前記クランプ部材の下端が前記ディスクの上面の内縁部に当接して前記鍔部の上面とで前記ディスクが挟持されることを特徴とする請求項２又は３に記載のディスクドライブ装置。
【請求項５】
前記クランプ部材に永久磁石又は磁性体が内包され、前記スピンドルモータの上端に前記永久磁石又は前記磁性体と磁気的に引き合う磁性体又は永久磁石が内包されていることを特徴とする請求項４に記載のディスクドライブ装置。
【考案の詳細な説明】
【０００１】
【考案の属する技術分野】
本考案は、ＣＤ、ＣＤ−ＲＯＭ、ＣＤ−Ｒ／ＲＷ、ＤＶＤ等の情報記録媒体であるディスクを水平に支持したまま、本体に対する内外間を水平方向に進退するトレイを備えた、いわゆる横置きタイプのディスクドライブ装置に関する。
【０００２】
【従来の技術】
従来一般的なこの種のディスクドライブ装置は、図３及び図４に示すように、当該装置本体の外形を構成するシャーシ１０１の前面（図３及び図４では左側）に、ディスクＤを水平に支持したまま、シャーシ１０１に対して外部のイジェクト位置と、内部のローディング位置との間を水平方向（図３及び図４では左右方向）に進退するトレイ１０２を備えている。このシャーシ１０１の上壁の内面には、ローディング位置におけるトレイ１０２上のディスクＤの上面と対向するように、皿形のホルダ１０３が取り付けられていて、このホルダ１０３の中央部には、ディスクＤと同軸状に円形の開口１０３ａが形成されている。この開口１０３ａには、ローディング位置のディスクＤをクランプするための詳細は後述するクランプ部材１０４が、軸回転及び軸方向（上下方向）移動が可能に設けられている。
【０００３】
クランプ部材１０４は、樹脂成型品であるフランジ状の上側部材１０５及び下側部材１０６が組み合わされて外形が構成されており、その内部には、軸心に沿って下方から順に、リング状の永久磁石１０７、及びこの永久磁石１０７のバックヨークとして作用するリング状の補助磁性体１０８が収納されている。このクランプ部材１０４は、この上端（上側部材１０５の上端）に形成された上側鍔部１０４ａの下面がホルダ１０３の開口１０３ａ周囲の上面に当接することで、下方向への移動が規制され、他方、下端（下側部材１０６の下端）に形成された下側鍔部１０４ｂの上面がホルダ１０３の開口１０３ａ周囲の下面に当接することで、上方向への移動が規制されている。なお、クランプ部材１０４の内部には、その軸心に沿って磁性体１０８及び永久磁石１０７を貫通し、その下端に開放された管状部１０４ｃが設けられている。
【０００４】
また、シャーシ１０１内におけるトレイ１０２の下方には、一端がシャーシ１０１に枢支された可動部材１０９が配設されていて、この可動部材１０９は、その一端を支点に回動することで、その他端部が上下動するようになっている。この可動部材１０９の他端部には、ローディング位置のディスクＤを回転させるためのスピンドルモータ１１０が固定されており、このスピンドルモータ１１０の主軸１１０ａには、これと同軸状に鍔状のターンテーブル１１１が嵌入されている。このターンテーブル１１１の上面には、ディスクＤの中心穴と略同径のドーム状の突出部１１１ａが形成され、この突出部１１１ａには、これと同軸状に、上記したクランプ部材１０４の永久磁石１０７に対して主ヨークとして作用するリング状の磁性体１１２が内包されている。なお、スピンドルモータ１１０の主軸１１０ａの先端は、突出部１１１ａから突出していて、その径は上記したクランプ部材１０４の管状部１０４ｃの内周と略同径となっている。
【０００５】
ここで、ディスクＤとしては、一般に、中心穴径が共通で、外径が１２０ｍｍの大径のディスクＤ（以下、「大径ディスクＤＬ」と記すことがある）と、８０ｍｍの小径のディスクＤ（以下、「小径ディスクＤＳ」と記すことがある）とがあり、従来より、トレイ１０２には、外径の異なる２種類のディスクＤのうちから１つを選択的に支持できる工夫が施されている。つまり、トレイ１０２の底壁には、大径ディスクＤＬを水平に収容するための大径ディスクＤＬと略同径の大径用円形凹部１０２ａ、及びこの大径用円形凹部１０２ａの内側にこれと同軸状で小径ディスクＤＳを水平に収容するための小径ディスクＤＳと略同径の小径用円形凹部１０２ｂが形成されている。この大径用円形凹部１０２ａの外縁部は、他の部分と比較して若干隆起しており、この隆起部で大径ディスクＤＬの下面の外縁部を支持するようになっている。これと同様に、小径用円形凹部１０２ｂの外縁部も、他の部分と比較して若干隆起しており、この隆起部で小径ディスクＤＳの下面の外縁部を支持するようになっている。
【０００６】
次に、このような構成のディスクドライブ装置の動作について、図４を参照しながら説明する。トレイ１０２がシャーシ１０１に対し外部に退出した状態、すなわちイジェクト位置の状態で、大径ディスクＤＬ又は小径ディスクＤＳ（ディスクＤ）が大径用円形凹部１０２ａ又は小径用円形凹部１０２ｂ内に載置されて支持される。その際、可動部材１０９は、その他端部が最下方に位置するよう回動していて、これにより、ターンテーブル１１１とともにスピンドルモータ１１０がトレイ１０２に対して下動した退避状態にある。また、クランプ部材１０４は、自重によってその上側鍔部１０４ａの下面がホルダ１０３の上面に当接することで下方向への移動が規制され、これにより、トレイ１０２の進退移動を許容する状態にある。
【０００７】
続いて、トレイ１０２がシャーシ１０１に対し内部に進入し、ディスクＤがローディング位置に到達される（図４（ａ）参照）。その後、可動部材１０９は、その他端部が最上方に位置するよう回動し、これにより、ターンテーブル１１１とともにスピンドルモータ１１０が上動する。これに伴って、ターンテーブル１１１の突出部１１１ａがディスクＤの中心穴に嵌め合わされるとともに、ターンテーブル１１１の上面がディスクＤの下面の内縁部と当接し、そのままディスクＤが持ち上げられて上方向に移動される。
【０００８】
更に続いて、スピンドルモータ１１０の主軸１１０ａの先端がクランプ部材１０４の管状部１０４ｃの内周に嵌め合わされるとともに、ディスクＤの上面の内縁部がクランプ部材１０４の下側鍔部１０４ｂの下面に当接して、そのままクランプ部材１０４が若干持ち上げられ、最終的に、クランプ部材１０４の永久磁石１０７と突出部１１１ａの磁性体１１２との磁気的な引力の作用により、ディスクＤがクランプ部材１０４とターンテーブル１１１（実質的には、スピンドルモータ１１０）との間に強固に挟持されてチャッキングが完了する（図４（ｂ）参照）。その際、クランプ部材１０４はシャーシ１０１に対し軸回転が可能になっている。そして、スピンドルモータ１１０が軸回転駆動されることによってディスクＤが軸回転し、このディスクＤに対して光学的な情報の記録や再生が行われる（例えば、特開２０００−１８７９１１号公報、特開２００２−２９８４８５号公報参照）。
【０００９】
【考案が解決しようとする課題】
しかし、上記した従来のディスクドライブ装置では、トレイ１０２の底壁に、大径用円形凹部１０２ａが形成され、更にこの大径用円形凹部１０２ａの内側に小径用円形凹部１０２ｂが形成されているため、大径用円形凹部１０２ａの内側には、小径用円形凹部１０２ｂの周縁によって必然的に角部Ａ（図３参照）が形成される。そうすると、大径ディスクＤＬが装着される場合に、使用者がその角部Ａに大径ディスクＤＬを不用意に押し付けてその記録領域に傷を付けてしまうおそれがあった。また、大径用円形凹部１０２ａ及び小径用円形凹部１０２ｂは、両者の中心をある程度高い精度で合わせる必要があり、しかも形状が複雑であるから、素材としてのトレイ１０２の製作コストを悪化させていた。
【００１０】
なお、大径ディスクＤＬの記録領域に対しての損傷要因である上記の角部Ａを単に滑らかに面取りすることが考えられるが、抜本的な解決策には至らないし、製作工数が増加して製作コストがより悪化するという不都合も生じる。また、大径ディスクＤＬを上記の角部Ａから離間して支持すべく、大径用円形凹部１０２ａの外縁部に存する隆起部を高くすることが考えられるが、これに伴ってディスクドライブ装置の大型化を招くため、決して得策とは言えない。
【００１１】
そこで、本考案は、上記の問題に鑑みてなされたものであり、支持するディスクの大きさを問わず、その記録領域の不用意な損傷を確実に防止できるトレイを備えたディスクドライブ装置を提供することを目的とするものである。
【００１２】
【課題を解決するための手段】
上記目的を達成するため、本考案によるディスクドライブ装置は、情報記録媒体である大径又は小径のディスクを選択的に水平に支持したまま、本体に対して外部のイジェクト位置と内部のローディング位置との間を水平方向に進退するトレイを備え、前記トレイの底壁に、情報記録媒体である大径のディスクを水平に収容してこのディスクの下面の外縁部を支持する大径用円形凹部、及びこの大径用円形凹部と同軸状で小径のディスクを水平に収容してこのディスクの下面の外縁部を支持する小径用円形凹部が形成されたディスクドライブ装置において、前記トレイの底壁は、前記大径用円形凹部及び前記小径用円形凹部が形成されることなく平坦であって、前記トレイには、前記ディスクと同軸状で前記トレイの底壁を貫通し軸回転及び軸方向移動が可能な、２つの樹脂成型品より組み合わされてなる中間軸体が設けられ、この中間軸体の上端には、鍔部及び前記ディスクの中心穴と略同径のドーム状の突出部が形成されており、前記中間軸体は、前記鍔部の下面が前記トレイの底壁の上面に当接して下方向への移動が規制されながら、前記突出部に前記ディスクの中心穴が嵌め合わされて前記ディスクの下面の内縁部を支持するようになっている。更に、前記ローディング位置での前記トレイにおける前記中間軸体の下方に、上端に磁性体が内包されたスピンドルモータが上下動可能に備えられ、前記中間軸体の上方に、下方向への移動が規制されながら軸回転及び軸方向移動が可能な、永久磁石が内包されたクランプ部材が備えられていて、前記スピンドルモータの上動により、前記スピンドルモータの上端が前記中間軸体の下端に連結されて前記中間軸体及び前記ディスクが上方向に移動されるとともに、前記クランプ部材の下端が前記ディスクの上面の内縁部に当接して前記鍔部の上面とで前記ディスクが挟持されるようになっている。
【００１３】
これにより、トレイには大径のディスクの記録領域に対しての損傷要因は全くないし、支持するディスクの大きさを問わず水平に支持することができる。更に、ローディング位置のディスクは、永久磁石と磁性体との磁気的な引力の作用を受けながら、クランプ部材と、中間軸体を介したスピンドルモータとの間に強固に挟持されてチャッキングされ、その際、クランプ部材は本体に対し軸回転が可能で、中間軸体はトレイに対し軸回転が可能になるため、スピンドルモータが軸回転駆動されることによって、そのディスクは支障なく軸回転できる。
【００１４】
また、上記目的を達成するための本考案によるディスクドライブ装置は、情報記録媒体であるディスクを水平に支持したまま、本体に対して外部のイジェクト位置と内部のローディング位置との間を水平方向に進退するトレイを備えたディスクドライブ装置において、前記トレイには、前記ディスクと同軸状で前記トレイの底壁を貫通し軸回転及び軸方向移動が可能な中間軸体が設けられ、この中間軸体の上端には、鍔部及び前記ディスクの中心穴と略同径の突出部が形成されており、前記中間軸体は、前記鍔部の下面が前記トレイの底壁の上面に当接して下方向への移動が規制されながら、前記突出部に前記ディスクの中心穴が嵌め合わされて前記ディスクの下面の内縁部を支持するようになっている。これにより、トレイには大径のディスクの記録領域に対しての損傷要因は全くないし、支持するディスクの大きさを問わず水平に支持することができる。
【００１５】
ここで、簡単な構成で実用性の高い中間軸体を得る目的で、前記中間軸体は、複数の樹脂成型品より組み合わされてなることが好ましい。
【００１６】
更に、ディスクドライブ装置として機能する実用的な構成としては、前記ローディング位置での前記トレイにおける前記中間軸体の下方に、スピンドルモータが上下動可能に備えられ、前記中間軸体の上方に、下方向への移動が規制されながら軸回転及び軸方向移動が可能なクランプ部材が備えられていて、前記スピンドルモータの上動により、前記スピンドルモータの上端が前記中間軸体の下端に連結されて前記中間軸体及び前記ディスクが上方向に移動されるとともに、前記クランプ部材の下端が前記ディスクの上面の内縁部に当接して前記鍔部の上面とで前記ディスクが挟持されるようになっているとよい。これにより、ローディング位置のディスクは、クランプ部材と、中間軸体を介したスピンドルモータとの間に挟持されてチャッキングされ、その際、クランプ部材は本体に対し軸回転が可能で、中間軸体はトレイに対し軸回転が可能になるため、スピンドルモータが軸回転駆動されることによって、そのディスクは支障なく軸回転できる。
【００１７】
更に、ローディング位置でのクランプ部材とスピンドルモータとによるディスクの挟持を磁気的な引力の作用によってより強固にする観点から、前記クランプ部材に永久磁石又は磁性体が内包され、前記スピンドルモータの上端に前記永久磁石又は前記磁性体と磁気的に引き合う磁性体又は永久磁石が内包されていることが好ましい。
【００１８】
【考案の実施の形態】
以下に、本考案のディスクドライブ装置の実施形態について、図面を参照しながら詳述する。図１は本考案の一実施形態であるディスクドライブ装置の縦断面図、図２はそのディスクドライブ装置の動作を説明する要部拡大の縦断面図であって、図２（ａ）はチャッキング解除時の状態を示し、図２（ｂ）はチャッキング時の状態を示している。なお、これらの図中、同じ名称で同じ機能を果たす部分には同一の符号を付している。
【００１９】
本実施形態のディスクドライブ装置は、図１及び図２に示すように、当該装置本体の外形を構成するシャーシ１の前面（図１及び図２では左側）に、ディスクＤを水平に支持したまま、シャーシ１に対して外部のイジェクト位置と、内部のローディング位置との間を水平方向（図１及び図２では左右方向）に進退するトレイ２を備えている。このシャーシ１の上壁の内面には、ローディング位置におけるトレイ２上のディスクＤの上面と対向するように、皿形のホルダ３が取り付けられていて、このホルダ３の中央部には、ディスクＤと同軸状に円形の開口３ａが形成されている。この開口３ａには、ローディング位置のディスクＤをクランプするための詳細は後述するクランプ部材４が、軸回転及び軸方向（上下方向）移動が可能に設けられている。
【００２０】
クランプ部材４は、樹脂成型品であるフランジ状の上側部材５及び下側部材６が組み合わされて外形が構成されており、その内部には、軸心に沿って下方から順に、リング状の永久磁石７、及びこの永久磁石７のバックヨークとして作用するリング状の補助磁性体８（例えば鉄板）が収納されている。このクランプ部材４は、この上端（上側部材５の上端）に形成された上側鍔部４ａの下面がホルダ３の開口３ａ周囲の上面に当接することで、下方向への移動が規制され、他方、下端（下側部材６の下端）に形成された下側鍔部４ｂの上面がホルダ３の開口３ａ周囲の下面に当接することで、上方向への移動が規制されている。なお、クランプ部材４の内部には、その軸心に沿って磁性体８及び永久磁石７を貫通し、その下端に開放された管状部４ｃが設けられている。
【００２１】
また、シャーシ１内におけるトレイ２の下方には、一端がシャーシ１に枢支された可動部材９が配設されていて、この可動部材９は、その一端を支点に回動することで、その他端部が上下動するようになっている。この可動部材９の他端部には、ローディング位置のディスクＤを回転させるためのスピンドルモータ１０が固定されており、このスピンドルモータ１０の主軸１０ａには、ドーム状体１１が同軸状に嵌入されている。このドーム状体１１には、これと同軸状に、上記したクランプ部材４の永久磁石７に対して主ヨークとして作用するリング状の磁性体１２（例えば鉄板）が内包されている。
【００２２】
一方、トレイ２の底壁は平坦であって、その中央部には貫通口２ａが形成されている。この貫通口２ａには、ディスクＤを支持するための詳細は後述する中間軸体１３が、軸回転及び軸方向（上下方向）移動が可能に設けられている。
【００２３】
この中間軸体１３は、上記したクランプ部材４と同様、樹脂成型品であるフランジ状の上側体１４及び下側体１５が組み合わされて外形が構成されており、この上端（上側体１４の上端）に形成された上側鍔部１３ａの下面がトレイ２の底壁における貫通口２ａ周囲の上面に当接することで、下方向への移動が規制され、他方、下端（下側体１５の下端）に形成された下側鍔部１３ｂの上面がトレイ２の底壁における貫通口２ａ周囲の下面に当接することで、上方向への移動が規制されている。また、中間軸体１３の上端には、ディスクＤの中心穴と略同径のドーム状の突出部１３ｃが形成され、この突出部１３ｃの先端には、上記したクランプ部材４の管状部４ｃの内周と略同径の突起部１３ｄが設けられている。更に、中間軸体１３の下端には、スピンドルモータ１０におけるドーム状体１１と略同一形状のドーム状凹部１３ｅが形成されている。
【００２４】
次に、このような構成のディスクドライブ装置の動作について、図２を参照しながら説明する。トレイ２がシャーシ１に対し外部に退出した状態、すなわちイジェクト位置の状態で、中間軸体１３は、自重によってその上側鍔部１３ａの下面がトレイ２の底壁の上面に当接することで下方向への移動が規制されている。この状態で、ディスクＤ（大径ディスクＤＬ又は小径ディスクＤＳ）は、その中心穴が中間軸体１３の突出部１３ｃに嵌め合わされて載置され、その下面の内縁部が上側鍔部１３ａの上面で水平に支持される。つまりディスクＤは、記録領域の存しない内縁部で常に支持されることになる。
【００２５】
その際、可動部材９は、その他端部が最下方に位置するよう回動していて、これにより、ドーム状体１１とともにスピンドルモータ１０がトレイ２に対して下動した退避状態にある。また、クランプ部材４は、自重によってその上側鍔部４ａの下面がホルダ３の上面に当接することで下方向への移動が規制され、これにより、トレイ２の進退移動を許容する状態にある。
【００２６】
続いて、中間軸体１３でディスクＤが支持されたまま、トレイ２がシャーシ１に対し内部に進入し、ディスクＤがローディング位置に到達される（図２（ａ）参照）。その後、可動部材９は、その他端部が最上方に位置するよう回動し、これにより、ドーム状体１１とともにスピンドルモータ１０が上動する。これに伴って、ドーム状体１１が中間軸体１３のドーム状凹部１３ｅに係合して連結され、そのまま中間軸体１３とともにディスクＤが持ち上げられて上方向に移動される。
【００２７】
更に続いて、突出部１３ｃの先端の突起部１３ｄがクランプ部材４の管状部４ｃの内周に嵌め合わされるとともに、ディスクＤの上面の内縁部がクランプ部材４の下側鍔部４ｂの下面に当接して、そのままクランプ部材４が若干持ち上げられ、最終的に、クランプ部材４の永久磁石７とドーム状体１１の磁性体１２との磁気的な引力の作用により、ディスクＤがクランプ部材４と中間軸体１３を介したドーム状体１１（実質的には、スピンドルモータ１０）との間に強固に挟持されてチャッキングが完了する（図２（ｂ）参照）。その際、クランプ部材４及び中間軸体１３はシャーシ１及びトレイ２に対し軸回転が可能になっている。そして、スピンドルモータ１０が軸回転駆動されることによってディスクＤが軸回転し、このディスクＤに対して光学的な情報の記録や再生が行われる
【００２８】
また、ディスクＤのチャッキング解除の動作については、可動部材９は、その他端部が最下方に位置するよう回動し、これにより、ドーム状体１１とともにスピンドルモータ１０が下動する。これに伴って、ディスクＤとともにクランプ部材４及び中間軸体１３は、永久磁石７と磁性体１２との磁気的な引力を受けたまま下方に向けて移動されるが、先ず、クランプ部材４の上側鍔部４ａの下面がホルダ３の上面に当接することでそれ以上の下方向への移動が規制され、これにより、クランプ部材４が上記の磁気的な引力に抗して引き離される。次いで、中間軸体１３の上側鍔部１３ａの下面がトレイ２の底壁の上面に当接することでそれ以上の下方向への移動が規制され、これにより、中間軸体１３がディスクＤを支持したまま引き離され、最終的に、スピンドルモータ１０がトレイ２に対する退避状態に戻りチャッキング解除が完了する。そして、中間軸体１３でディスクＤが支持されたまま、トレイ２がシャーシ１に対し外部に退出してイジェクト位置に到達され、ディスクＤの交換がなされる。
【００２９】
このように、本実施形態のディスクドライブ装置では、トレイ２の底壁に、従来のような大径用円形凹部１０２ａ及び小径用円形凹部１０２ｂ（図３及び図４参照）の形成が不要であるため、大径ディスクＤＬの記録領域に対しての損傷要因は全くないし、支持するディスクＤの大きさを問わず水平に支持することができる。従って、ディスクＤの記録領域の不用意な損傷を確実に防止できる。しかも、トレイ２の底壁の形状が単純であるから、素材としてのトレイ２を安価に製作できるという利点もある。
【００３０】
また、ローディング位置のディスクＤは、永久磁石７と磁性体１２との磁気的な引力の作用を受けながら、クランプ部材４と、中間軸体１３を介したスピンドルモータ１０との間に強固に挟持されてチャッキングされ、その際、クランプ部材４は本体に対し軸回転が可能で、中間軸体１３はトレイに対し軸回転が可能になるため、スピンドルモータ１０が軸回転駆動されることによって、そのディスクＤは支障なく軸回転できる。その結果として、ディスクドライブ装置として実用的な機能を達成できる。
【００３１】
なお、本考案は上記の各実施形態に限定されず、本考案の趣旨を逸脱しない範囲で、種々の変更が可能である。例えば、クランプ部材４とスピンドルモータ１０（ドーム状体１１）との間に磁気的な引力を作用し得る限り、ドーム状体１１に永久磁石及び補助磁性体を設け、他方のクランプ部材４に磁性体を設けてもよい。更に中間軸体１３にも、磁性体を設けても構わない。
【００３２】
【考案の効果】
以上説明した通り、本考案によれば、情報記録媒体である大径又は小径のディスクを選択的に水平に支持したまま、本体に対して外部のイジェクト位置と内部のローディング位置との間を水平方向に進退するトレイを備え、前記トレイの底壁に、情報記録媒体である大径のディスクを水平に収容してこのディスクの下面の外縁部を支持する大径用円形凹部、及びこの大径用円形凹部と同軸状で小径のディスクを水平に収容してこのディスクの下面の外縁部を支持する小径用円形凹部が形成されたディスクドライブ装置において、前記トレイの底壁は、前記大径用円形凹部及び前記小径用円形凹部が形成されることなく平坦であって、前記トレイには、前記ディスクと同軸状で前記トレイの底壁を貫通し軸回転及び軸方向移動が可能な、２つの樹脂成型品より組み合わされてなる中間軸体が設けられ、この中間軸体の上端には、鍔部及び前記ディスクの中心穴と略同径のドーム状の突出部が形成されており、前記中間軸体は、前記鍔部の下面が前記トレイの底壁の上面に当接して下方向への移動が規制されながら、前記突出部に前記ディスクの中心穴が嵌め合わされて前記ディスクの下面の内縁部を支持するようになっている。更に、前記ローディング位置での前記トレイにおける前記中間軸体の下方に、上端に磁性体が内包されたスピンドルモータが上下動可能に備えられ、前記中間軸体の上方に、下方向への移動が規制されながら軸回転及び軸方向移動が可能な、永久磁石が内包されたクランプ部材が備えられていて、前記スピンドルモータの上動により、前記スピンドルモータの上端が前記中間軸体の下端に連結されて前記中間軸体及び前記ディスクが上方向に移動されるとともに、前記クランプ部材の下端が前記ディスクの上面の内縁部に当接して前記鍔部の上面とで前記ディスクが挟持されるようになっている。
【００３３】
これにより、トレイには大径のディスクの記録領域に対しての損傷要因は全くないし、支持するディスクの大きさを問わず水平に支持することができるため、ディスクの記録領域の不用意な損傷を確実に防止できる。更に、ローディング位置のディスクは、永久磁石と磁性体との磁気的な引力の作用を受けながら、クランプ部材と、中間軸体を介したスピンドルモータとの間に強固に挟持されてチャッキングされ、その際、クランプ部材は本体に対し軸回転が可能で、中間軸体はトレイに対し軸回転が可能になるため、スピンドルモータが軸回転駆動されることによって、そのディスクは支障なく軸回転でき、その結果として、ディスクドライブ装置として実用的な機能を達成できる。
【００３４】
また本考案によれば、情報記録媒体であるディスクを水平に支持したまま、本体に対して外部のイジェクト位置と内部のローディング位置との間を水平方向に進退するトレイを備えたディスクドライブ装置において、前記トレイには、前記ディスクと同軸状で前記トレイの底壁を貫通し軸回転及び軸方向移動が可能な中間軸体が設けられ、この中間軸体の上端には、鍔部及び前記ディスクの中心穴と略同径の突出部が形成されており、前記中間軸体は、前記鍔部の下面が前記トレイの底壁の上面に当接して下方向への移動が規制されながら、前記突出部に前記ディスクの中心穴が嵌め合わされて前記ディスクの下面の内縁部を支持するようになっているので、トレイには大径のディスクの記録領域に対しての損傷要因は全くないし、支持するディスクの大きさを問わず水平に支持することができるため、ディスクの記録領域の不用意な損傷を確実に防止できる。
【００３５】
ここで、前記中間軸体が、複数の樹脂成型品より組み合わされてなると、簡単な構成で実用性の高い中間軸体を得ることが可能となる。
【００３６】
更に、前記ローディング位置での前記トレイにおける前記中間軸体の下方に、スピンドルモータが上下動可能に備えられ、前記中間軸体の上方に、下方向への移動が規制されながら軸回転及び軸方向移動が可能なクランプ部材が備えられていて、前記スピンドルモータの上動により、前記スピンドルモータの上端が前記中間軸体の下端に連結されて前記中間軸体及び前記ディスクが上方向に移動されるとともに、前記クランプ部材の下端が前記ディスクの上面の内縁部に当接して前記鍔部の上面とで前記ディスクが挟持されるようになっていると、ローディング位置のディスクは、クランプ部材と、中間軸体を介したスピンドルモータとの間に挟持されてチャッキングされ、その際、クランプ部材は本体に対し軸回転が可能で、中間軸体はトレイに対し軸回転が可能になるため、スピンドルモータが軸回転駆動されることによって、そのディスクは支障なく軸回転でき、その結果として、ディスクドライブ装置として実用的な機能を達成できる。
【００３７】
更に、前記クランプ部材に永久磁石又は磁性体が内包され、前記スピンドルモータの上端に前記永久磁石又は前記磁性体と磁気的に引き合う磁性体又は永久磁石が内包されていると、永久磁石と磁性体との磁気的な引力の作用によって、ローディング位置でのクランプ部材とスピンドルモータとによるディスクの挟持をより強固にすることができる。
【図面の簡単な説明】
【図１】本考案の一実施形態であるディスクドライブ装置の縦断面図である。
【図２】本考案の一実施形態であるディスクドライブ装置の動作を説明する要部拡大の縦断面図である。
【図３】従来のディスクドライブ装置の縦断面図である。
【図４】従来のディスクドライブ装置の動作を説明する要部拡大の縦断面図である。
【符号の説明】
１　　シャーシ
２　　トレイ
４　　クランプ部材
７　　永久磁石
９　　可動部材
１０　　スピンドルモータ
１１　　ドーム状体
１２　　磁性体
１３　　中間軸体
１３ａ　　上側鍔部
１３ｂ　　下側鍔部
１３ｃ　　突出部
Ｄ　　ディスク
【図１】
0003097753.tif 000003
【図２】
0003097753.tif 000004
【図３】
0003097753.tif 000005
【図４】
0003097753.tif 000006